【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
患者に施与される療法に対応する療法指示のための患者治療装置固有の構成出力の情報を患者治療装置に転写するときにユーザが使用するために前記構成出力を生成する方法であって、
患者に施与される療法に対応する療法説明の少なくとも一部を含む指示を受け取るステップ（３０２）と、ただし、施与される前記療法は、輸液装置（２００）を使用した患者への静脈注射用流体（２５２）の施与を含む、
前記患者に前記療法を施与するために使用する、療法施与のための少なくとも１つの所定の構成手順を有する患者治療装置を識別するステップ（３０４）と、
前記療法を施与する前記患者治療装置を手動で構成するのに使用する、患者治療装置構成データを含む前記指示のための構成出力を、前記対応する療法説明および前記所定の構成手順のそれぞれの少なくとも一部に少なくとも部分的に基づいて、コンピュータで自動化された態様で少なくとも部分的に生成するステップ（３１６）と、
前記患者に前記療法を施与する前記患者治療装置にて患者治療装置構成データを手動で入れるために、患者治療装置構成データを転写するときにユーザが使用するための構成出力を含むラベル（２６２、２６２’）を生成するステップと、
前記患者治療装置を使用して前記患者に施与される前記療法と関連する容器（２５０）に前記ラベル（２６２、２６２’）を貼付するステップと、
を含む方法。
【請求項２】
前記所定の構成手順が、複数の患者治療装置構成データを入力するための所定のデータ入力シーケンスを備え、前記構成出力が、前記所定のデータ入力シーケンスの少なくとも一部に基づいて、前記ラベル（２６２）に表示される請求項１に記載の方法。
【請求項３】
前記ラベル（２６２）に表示された前記構成出力から、対応する複数の患者治療装置構成データを、前記所定のデータ入力シーケンスに従って前記患者治療装置（１４０）でユーザーが手動で入力するステップ
をさらに含み、
前記患者治療装置（１４０）の動作が、前記入力するステップに少なくとも部分的に基づき、
前記複数の患者治療装置構成データが、
患者治療施設内における患者の位置を示すデータ、
所定の複数の投与類型のいずれかを示すデータ、
少なくとも１つの治療効果のある薬を示すデータ、
投与濃度を示すデータ、
投与速度を示すデータ、および
投与量を示すデータ
の少なくとも１つの種類のデータを含む
請求項２に記載の方法。
【請求項４】
前記識別するステップ（３０４）が、
前記患者に前記療法を施与するために使用する、それぞれに異なる所定の構成手順を有する複数の種類の患者治療装置のいずれかを識別するステップ、
前記療法説明を前記所定の構成手順の少なくとも一部との関連で分析して、前記療法説明が前記構成手順の前記一部に適合するか否かを判断するステップ、
前記療法説明が前記構成手順の前記一部に不適合であるときにユーザーインターフェイス装置で出力警告を提供するステップ、及び
前記出力警告に応答して、前記構成手順の前記一部に適合する、前記指示に対応した療法情報を受け取るステップ、
を含み、
前記療法情報が前記生成するステップ（３１６）で使用される
請求項１乃至３のいずれか一項に記載の方法。
【請求項５】
前記生成するステップを完了する前に、前記構成手順の前記一部に適合する前記療法情報の受け取りを要求するステップ
をさらに含み、
前記構成手順の前記一部が、少なくとも１つの構成パラメータを含み、
前記療法説明の前記不適合が構成パラメータの欠如、又は、前記少なくとも１つの構成パラメータに関する矛盾した情報の少なくとも一方を含む、
請求項４に記載の方法。
【請求項６】
前記療法説明の少なくとも一部を、前記用量説明の少なくとも１つの部分の測定単位変換を実行することにより、前記構成手順の前記一部に適合しない第１形式から、前記構成手順の前記一部に適合する第２形式に変換するステップ（３１２）
をさらに含む請求項４に記載の方法。
【請求項７】
患者に療法を施与する患者治療装置（１４０）を構成するために患者治療装置固有の構成出力の情報を患者治療装置に転写するときにユーザが使用するための前記構成出力を生成するシステムであって、
メモリと動作的に連通するプロセッサにより実行される指示入力インターフェイス（１１０）であって、該メモリは指示入力インターフェイス（１１０）の前記実行に対応する非一時的なコンピュータ可読データを格納しており、患者に施与される療法に対応する療法説明の少なくとも一部を含む療法指示を受け取るように動作可能な指示入力インターフェイス（１１０）と、ただし、前記療法は、輸液装置（２００）を使用した患者への静脈注射用流体（２５２）の施与を含む、
メモリと動作的に連通するプロセッサにより実行される構成出力生成器（１２０）であって、該メモリは前記構成出力生成器（１２０）の前記実行に対応する非一時的なコンピュータ可読データを格納しており、前記指示入力インターフェイス（１１０）と動作的に連通し、前記患者に前記療法を施与するために使用される患者治療装置（１４０）を識別するように動作可能な構成出力生成器（１２０）と、ここで、患者治療装置（１４０）は療法施与のための少なくとも１つの所定の構成手順を備える、
前記構成出力生成器（１２０）により生成され、前記対応する療法説明および前記所定の構成手順のそれぞれの少なくとも一部に少なくとも部分的に基づく構成出力と
を備え、
前記構成出力は前記治療の施与に使用するための容器（２５０）に適用されるラベル（２６２）を含み、前記構成出力は、前記患者に前記療法を施与する前記患者治療装置にて患者治療装置構成データを手動で入れるために、患者治療装置構成データを転写するときにユーザが使用するための患者治療装置構成データを有するシステム。
【請求項８】
前記構成出力生成器（１２０）により識別される対応する種類の患者治療装置（１４０）であって、患者治療装置構成データを手動で入れることに応じて前記患者治療装置（１４０）を構成するためのユーザーインターフェイスを備えた患者治療装置（１４０）
をさらに含む請求項７に記載のシステム。
【請求項９】
前記ユーザーインターフェイスが、前記患者治療装置（１４０）の前記構成手順に対応する請求項８に記載のシステム。
【請求項１０】
前記ラベル（２６２）が、前記構成手順の少なくとも一部に対応する構成データの１つまたは複数の部分を含み、
構成データの前記１つまたは複数の部分が、
患者治療施設内における前記患者の位置を示すデータ、
所定の複数の投与類型のいずれかを示すデータ、
少なくとも１つの治療効果のある薬を示すデータ、
投与濃度を示すデータ、
投与速度を示すデータ、および
投与量を示すデータ
の少なくとも１つの種類のデータを含む請求項９に記載のシステム。
【請求項１１】
前記構成手順が所定のデータ入力シーケンスを含み、前記ラベルが、前記所定のデータ入力シーケンスに基づいて、前記ラベル（２６２）に表示される対応する複数の構成データを含む請求項７乃至１０のいずれか一項に記載のシステム。
【請求項１２】
前記ユーザーインターフェイスが、前記対応する複数の構成データを前記所定のデータ入力シーケンスで受け取るように動作可能であり、前記対応する複数の構成データが、ユーザーによって前記患者治療装置（１４０）に手動で入れられる請求項１１に記載のシステム。
【請求項１３】
前記患者治療装置（１４０）が、構成可能な輸液ポンプである請求項７乃至１２のいずれか一項に記載のシステム。
【請求項１４】
前記容器（２５０）が静脈注射用流体（２５２）を含み、前記容器（２５０）が施与セット（２５６）と動作的に連通し、前記施与セット（２５６）が前記静脈注射用流体（２５２）を制御された態様で患者に送達するために前記構成可能な輸液ポンプと動作可能に連動する請求項７乃至１３のいずれか一項に記載のシステム。
【請求項１５】
前記静脈注射用流体（２５２）が、前記構成可能な輸液ポンプでの前記対応する複数の構成データ入力に少なくとも部分的に基づいて前記患者に施与される請求項１３に記載のシステム。